(57)【特許請求の範囲】
【請求項１】
移動式Ｘ線回診車におけるＸ線撮影装置の上方部にメインパネルを設置し、このメインパネルに文字等を記入できるスペースを設けたことを特徴とする移動式Ｘ線回診車。
【請求項２】
メインパネルをマグネットが吸着できる材料で構成したことを特徴とする請求項１記載の移動式Ｘ線回診車。
【請求項３】
メインパネルの上面が円形であることを特徴とする請求項１記載の移動式Ｘ線回診車。
【請求項４】
メインパネルの上面が文字等を記入できるスペースと、マグネットが吸着できるスペースからなることを特徴とする請求項１記載の移動式Ｘ線回診車。
【発明の詳細な説明】
【技術分野】
【０００１】
本発明は、Ｘ線撮影装置などの医用機器に関する発明で、特に病院などにて利用されている移動型Ｘ線撮影装置（以下移動式Ｘ線回診車と称する）に関するものである。
【背景技術】
【０００２】
この種の移動式Ｘ線回診車ＭＸは、図１１に示すとおりで、移動台車３にＸ線撮影装置を内方に架設した収納部１が載架されている。この収納部１内にはＸ線撮影装置に電力を供給する高圧電源装置（図示せず）も内設されている。収納部１には扉１４が付設され、取手１２を介して収納部１を開閉でき、収納部１内に撮影画像等の資料を出し入れできるようになっている。
【０００３】
移動台車３の下方には車輪２とキャスター４が付設され、上方には支柱５が垂設され、この支柱５に固定具６を介してアーム７が片持ちされ、Ｘ線を発生させる為のＸ線管８とコリメータ９が付設されている。
【０００４】
そして、Ｘ線管８とコリメータ９を受持する保持枠１１が移動式Ｘ線回診車ＭＸに形成されている。移動台車３にはキャスター４と車輪２が取り付けられていて移動が可能である。移動は把持部１５を把持して操作者が移動操作する。
【０００５】
ところで、高圧電源装置（図示せず）は図１１に示す移動台車３上に直接固定架設され、その全体はスチール材あるいは樹脂材などで周囲が包囲されている。特に上部には上記したとおり、Ｘ線管８とコリメータ９を受持する保持枠１１が設けられ、手前には操作部１０と表示部１３が設置されている。表示部が操作部を兼用する形式もある（特許文献１参照）。
【先行技術文献】
【特許文献】
【０００６】
【特許文献１】特開２００８−２６４１２３号公報
【発明の概要】
【発明が解決しようとする課題】
【０００７】
この移動式Ｘ線回診車による回診においては、撮影技師や医師あるいは看護婦などが操作してそれぞれの病室を回り、各病室にてＸ線撮影装置による撮影と診断が行われる。
この場合、医師らは各患者らの撮影条件やその他の連絡事項などを記入するために、メモするための用紙などを持ち歩いているのが実情である。これは不便であり、場合によっては用紙などが抜け落ちたり紛失したりすることもある。落下したり抜け落ちると重要な書類が汚れたりするなどの問題も有している。
【課題を解決するための手段】
【０００８】
本発明は上記課題を解決するために、移動式Ｘ線回診車におけるＸ線撮影装置の上方にメインパネルを設置して、このメインパネルに文字等を記入できるスペースを設けた構造である。メインパネルの具体的な材料としては、ホワイトボード（粉体塗装板）や樹脂材等、適宜選択して設置できる。形状としてはフラットな面とか曲率半径の大きい球面で形成された構造が好ましい。したがって、重要な事項はマジックインキ等でこのメインパネルに書き込みが可能となる。
【０００９】
さらに本発明は上記課題を解決するために、メインパネルをマグネットが付着できる磁性材料、たとえばスチール材（鉄材など）で構成したものである。したがって、磁石（マグネット）をメインパネルに付着させることができるので、記載書類などは、マグネットを介してメインパネルに付着させることができ、用紙類の持ち運びがなくなる。また紛失や汚れの問題がなくなる。
さらに本発明は、メインパネルを円形の形で形成し設置したものである。この円形の形
は美的感覚をかもし出すことができ、その上その面に必要事項をメモ書きできるので有益である。
【発明の効果】
【００１０】
撮影条件などを記入した書類や連絡事項などを記載した用紙などを持ち運びする必要がなくなり、関係書類や資料の紛失がなくなるので、医師、技師、そして看護婦などは診断、撮影などの回診作業に専念でき、回診をより良好に行うことができる。
【図面の簡単な説明】
【００１１】
【図１】本発明の第一実施例として提供する移動式Ｘ線回診車の構成を示す図である。
【図２】本発明の第一実施例として提供する移動式Ｘ線回診車の使用例を示す図である。
【図３】本発明の第二実施例として提供する移動式Ｘ線回診車の構成を示す図である。
【図４】本発明の第二実施例として提供する移動式Ｘ線回診車の使用例を示す図である。
【図５】本発明の第三実施例として提供する移動式Ｘ線回診車の構成を示す図である。
【図６】本発明の第三実施例として提供する移動式Ｘ線回診車の使用例を示す図である。
【図７】本発明の第四実施例として提供する移動式Ｘ線回診車の構成を示す図である。
【図８】本発明の第四実施例として提供する移動式Ｘ線回診車の使用例を示す図である。
【図９】本発明の第五実施例として提供する移動式Ｘ線回診車の構成を示す図である。
【図１０】本発明の第五実施例として提供する移動式Ｘ線回診車の使用例を示す図である。
【図１１】本発明に係る従来の移動式Ｘ線回診車の構成を示す図である。
【実施例】
【００１２】
本発明が提供する実施例を図１から図１０の実施例についてそれぞれ説明する。
なお、以下の図は、前記の図１１で示したものと形状や構造が異なっているが、機能は同一のものである。したがって、各図における符号について図１１と同一の符号で示す部品は、図１１の部品と同一の機能を有するものである。
【００１３】
第１の実施例は、図１と図２に示すとおり、文字を記入できるホワイトボード型のメインパネルＰＮを上部に付設した移動式Ｘ線回診車ＭＸで、手前にはマジックペンＭＰ等を収納できる保管スペースＨＳが形成されている。したがって、図２に示すとおりメインパネルＰＮの上面に必要とするメモ書き、記入が容易にできる。もちろん、マジックペンＭＰによる書き込みであり、適宜消すこともできる。多量の文字を記入する場合はメインパネルＰＮを大型化することで記載可能である。
【００１４】
移動式Ｘ線回診車ＭＸには、撮影したフイルムなどを収納する収納部１が内設され、１４はその扉である。なお、Ｇは電源スイッチ、Ｂはバッテリー表示部、Ｅは、非常用ボタンであり、ＤＰは表示部である。なお、２は移動台車３の車輪であり、４はキャスターで、移動可能になっている。以下、図１から図１０において同一の符号で示される部品は、同一の機能を有するものである。
【００１５】
第２の実施例は、図３と図４に示すとおり、文字を記入できるホワイトボード型のメインパネルＰＨを設置するとともに、手前の矩形部位に磁性材料部ＭＳを形成した例を示している。磁性材料部ＭＳの形成方法としては、メインパネルＰＨの下方（裏面）に磁性体（板）を貼り付ける方法などが挙げられる。
したがって、図４に示すとおり、メインパネルＰＨの面にメモ用紙Ｐ１をマグネットＭＯにてメインパネルＰＨに付着させることができる。なお、マグネットＭＯは適宜保管スペースＨＳに保管される。
【００１６】
第３の実施例は図５と図６に示すとおりで、実施例１のメインパネルＰＮとは形状が同一であるが、メインパネルＰＭが磁性体材料（例えば鉄材）で構成したものである。したがって、図６に示すようにメモ用紙Ｐ２、Ｐ３などをメインパネルＰＭ上に必要により、マグネットＭＯにて適宜容易に取り付けることが可能となる。メインパネルＰＭの表面を文字書き込み可能に加工すると必要な文字の書き込みも容易に行えることは当然である。
【００１７】
第４の実施例は図７と図８に示すとおり、円形メインパネルＰＥが水平面状に形成され、美的要素を醸し出すよう形成された円形メインパネルＰＥを設置したものである。特に円形面にすることで、その存在が明瞭且つ判別し易くなる。もちろん円形だけでなく、楕円形にすることも可能である。図８は円形メインパネルＰＥにマジックペンＭＰでメモ書きされた例を示している。
【００１８】
第５の実施例は、図９と図１０に示すとおり、円形メインパネルＰＥと磁性体材料との組み合わせにより構成された複合型メインパネルＰＣを示す実施例である。しかも複合型メインパネルＰＣの外周には縁Ｆが形成されていて、マグネットＭＯの端が障害物に当接してはずれ落ちることがないように形成された実施例である。したがって、図１０に示すとおり、複合型メインパネルＰＣに取り付けられたメモ書きが離脱し、あるいは落下する危険性はなくなる。なお、図９、図１０においてＨＭはマグネットＭＯの保管箱である。
【００１９】
またこの実施例は複合型メインパネルＰＣが矩形とか長方形などに限定されないことを示すものである。もちろん円形だけでなく、楕円形にすることも可能である。以上いくつかの実施例を示したが、これらの実施例に限定されるものではない。また、移動式Ｘ線回診車そのものについても、図１１に示す形状に限定されるものでないことはもちろんである。
【００２０】
本発明について、以上複数個の実施例を示してきたが、これら各実施例から明らかなとおり、移動式Ｘ線回診車ＭＸそのものについても、図１１に示す構成にも限定されるものでないことは明らかである。もちろん、上記各図面に示すデザインと異なる移動式Ｘ線回診車ＭＸなど各種の変形例をあげることができる。
【産業上の利用可能性】
【００２１】
本発明は以上説明したとおりであるから、病院等における回診においてＸ線撮影やその結果に基づく診断が良好に行われる。
【符号の説明】
【００２２】
１  収納部
２  車輪
３  移動台車
４  キャスター
５  支柱
６  固定具
７  アーム
８  Ｘ線管
９  コリメータ
１０  操作部
１１  保持枠
１２  取手
１３  表示部
１４  扉
１５  把持部
ＰＮ  メインパネル
ＰＭ  メインパネル
ＰＨ  メインパネル
ＰＥ  円形メインパネル
ＰＣ  複合型メインパネル
Ｇ  電源スイッチ
ＨＳ  保管スペース
ＨＭ  保管箱
Ｅ  非常用ボタン
ＤＰ  表示部
ＭＰ  マジックペン
ＭＳ  磁性材料部
ＭＯ  マグネット
Ｆ  縁
Ｐ１  メモ用紙
Ｐ２  メモ用紙
Ｐ３  メモ用紙
Ｂ  バッテリー表示部
ＭＸ  Ｘ線回診車
【図１】
0005516555.tif 000002
【図２】
0005516555.tif 000003
【図３】
0005516555.tif 000004
【図４】
0005516555.tif 000005
【図５】
0005516555.tif 000006
【図６】
0005516555.tif 000007
【図７】
0005516555.tif 000008
【図８】
0005516555.tif 000009
【図９】
0005516555.tif 000010
【図１０】
0005516555.tif 000011
【図１１】
0005516555.tif 000012